(57)【要約】【課題】  施錠装置のデッドボルトの受け部を窓の外側から見えなくして外部の攻撃から防御能力を高めた施錠装置の提案。【解決手段】窓枠１Ａの室外側に、サッシ戸２を設け、窓枠１Ａの室内側にサッシ戸３を設け、サッシ戸３にデッドボルト９を有する施錠装置本体８を設け、サッシ戸２にデッドボルト９を挿入する受け金具４を取り付ける施錠装置であって、受け金具４にデッドボルト９を拘束する開口部１０を遮蔽する遮蔽板１２を形成した。【選択図】  図１
2005336906.tif 000002
【特許請求の範囲】
【請求項１】
窓枠の室外側に前記窓枠に沿ってスライド可能な引き戸を設け、前記窓枠の室内側の戸又は開口縁部の何れかにデッドボルトを有する施錠装置本体を設置し、前記引き戸に前記デッドボルトを受ける受け金具を取り付ける施錠装置であって、
前記受け金具は前記デッドボルトを遮蔽する遮蔽部を有することを特徴とする施錠装置。
【請求項２】
請求項１の施錠装置において、前記遮蔽部は前記受け金具を前記引き戸に取付ける際の位置決め部を有することを特徴とする施錠装置。
【請求項３】
請求項１、２の何れかの施錠装置において、前記受け金具は、前記引き戸と前記室内側の戸又は開口縁部の何れかとが正常に重なり合って正常に閉鎖しているときに、前記引き戸と前記室内側の戸又は開口縁部の何れかとの間に挿入される突出部を備えていることを特徴とする施錠装置。
【請求項４】
請求項１乃至請求項３の何れかの施錠装置の取付構造であって、前記受け金具は、前記引き戸の框の室内側壁面に厚肉の取付部材を固着し、該取付部材に前記受け金具を取り付けることを特徴とする施錠装置の取付構造。
【発明の詳細な説明】
【技術分野】
【０００１】
本発明は、施錠装置及びその取付構造に関し、更に詳しくは、例えば窓の外側からの破壊に対して耐久性の向上を図った施錠装置及びその取付構造に関する。
【背景技術】
【０００２】
施錠装置には多種多様なものが知られているが、特に建物の窓や扉などを施錠する施錠装置であって、建物の施工完了後に設置する施錠装置としては、建物用補助錠などがある（例えば、特許文献１参照。）。
【０００３】
例えば、窓等の開口部に設けられた引き違い式のサッシ戸においては、部屋の内側のサッシ戸の縦框にクレセント錠を設け、部屋の外側のサッシ戸にクレセント錠を拘束する受け金具を設けて、施錠装置を構成している。
【０００４】
補助錠は、デッドボルトを備えた補助錠本体と、デッドボルトが当接してサッシ戸のスライド方向への移動を規制する補助錠用受け金具とで構成されるのが一般的であり、補助錠用受け金具は、外側のサッシ戸の框部やガラス戸の室内側壁面に取り付けられ、補助錠本体は内側のサッシ戸の框部に取り付けられている。
【０００５】
また、最近のサッシ戸の場合、室内側のサッシ戸と室外側のサッシ戸が閉まって、両者の縦框の壁面同士が対面した状態にあるときに、サッシ戸の取り外しを防止したものがある。このサッシ戸の構造は、通常、「煙返し」と言われるものであり、室内側のサッシ戸と室内側のサッシ戸とを窓の内外方向に容易に分離させないようにするために、室外側のサッシ戸の框の壁面の後端部から略Ｌ字形の水平断面の干渉突起を形成する一方、室内側のサッシ戸には、干渉突起の内側に入り込む挿入突起を形成したものである。干渉突起と挿入突起は、室内側のサッシ戸と、室外側のサッシ戸が閉まっているとき、互いに噛み合って分離できないようになっている。
【特許文献１】特開２００３ー２２７２５９号公報
【発明の開示】
【発明が解決しようとする課題】
【０００６】
しかしながら、第１に、施錠装置の受け部の取付位置がサッシ戸の外側（室外側）から見えてしまうと、施錠装置の受け部材近辺のガラスが破壊されて施錠装置が解錠されてしまう恐れがある。
【０００７】
第２に、補助錠が後付け方式の場合、受け金具をサッシ戸の框に取り付ける場合に、各メーカーのサッシの品種毎に最適な取付位置があるため、施錠装置本体や受け金具の取付時の位置決めを精密且つ正確に行う必要があるが、サッシ戸の框の形状やサッシ戸の経年変化、或いは、サッシ戸の取付時のがたつき等により、正確且つ精密な位置決めを行うのは面倒なものとなることがある。
【０００８】
第３に、受け金具が１組のサッシ戸のクレセント錠を設置した縦框若しくは横框にのみ固定されていると、受け金具が片持ち状態になるので、サッシ戸のガラスが破られて受け金具を厚さ方向に曲げようとする外力が働いた場合に、受け金具が容易に曲がってしまうという強度上の問題がある。
【０００９】
第４に、室外側のサッシ戸と室内側のサッシ戸とが「煙返し」構造となっているときに、両方のサッシ戸の縦框の断面構造が複雑になるので、受け金具を取り付けるための平らな設置面が得られないと言う取付上の問題がある。
【００１０】
第５に、サッシ戸や窓枠の経年変化による歪みのため、受け金具の取付位置を調整しなければならないので、サッシ戸に受け金具を取り付ける際に、サッシの框壁面に接着剤やリベット等で受け金具を固着すると、この取付位置の調整ができなくなってしまうというメンテナンス上の問題がある。
【００１１】
第６に、サッシ戸の框に受け金具を直接螺着する場合、受け金具の取付位置の調整の度にネジの締め直しを行うと、ネジ穴が拡大して緊結できなくなったり、框の肉厚の薄さのために、框がネジを保持するための力が不足するという問題も考慮する必要がある。
【００１２】
本発明は、このような問題に着目してなされたものであり、施錠装置の設置場所や設置状態を秘匿して防犯効果を向上させると共に、サッシ戸の厚さ方向への外力に対する剛性並びに強度を高め、サッシ戸同士を分離させようとする力に対して抵抗力を高め、サッシの断面形状の如何にかかわらず受け金具の設置面を確保し、ネジ止め等の位置調整などメンテナンスにおいても取付強度の低下を招くことのない施錠装置及び施錠装置の取付構造を提供することを目的とする。
【課題を解決するための手段】
【００１３】
上記課題を解決するために、本願の第１の施錠装置は、窓枠の室外側に前記窓枠に沿ってスライド可能な引き戸を設け、前記窓枠の室内側の戸又は開口縁部の何れかにデッドボルトを有する施錠装置本体を設置し、前記引き戸に前記デッドボルトを受ける受け金具を取り付ける施錠装置であって、前記受け金具は前記デッドボルトを遮蔽する遮蔽部を有することを特徴とする。
【００１４】
本願の第２の施錠装置は、請求項１の施錠装置において、前記遮蔽部は前記受け金具を前記引き戸に取付ける際の位置決め部を有することを特徴とする。
【００１５】
本願の第３の施錠装置は、請求項１、２の何れかの施錠装置において、前記受け金具は、前記引き戸と前記室内側の戸又は開口縁部の何れかとが正常に重なり合って正常に閉鎖しているときに、前記引き戸と前記室内側の戸又は開口縁部の何れかとの間に挿入される突出部を備えていることを特徴とする。
【００１６】
本願の施錠装置の取付構造は、請求項１乃至請求項３の何れかの施錠装置の取付構造であって、前記受け金具は、前記引き戸の框の室内側壁面に厚肉の取付部材を固着し、該取付部材に前記受け金具を取り付けることを特徴とする。
【発明の効果】
【００１７】
本願の第１の施錠装置によれば、施錠装置のデッドボルトの受け部を引き戸の外側から見えなくするので、侵入者は施錠装置やデッドボルトの存在場所が分からず、外部からの攻撃を防御できる。開閉センサ用のマグネットも同様に外部からの攻撃を防御できる。また、窓の開閉を感知するためのセンサがデッドボルトに付いている場合には、センサを保護できるため、防犯効果が向上する。受け金具にセンサを搭載するという逆の構成になっても同様の効果を得られる。
【００１８】
本願の第２の施錠装置によれば、受け金具を設置するときの位置決めが容易となり、施工性が向上する。
【００１９】
本願の第３の施錠装置によれば、受け金具が横框のみに取り付けられている場合、引き戸の外側から引き戸を室内側の戸又は開口縁部から分離しようとする力が働いたときでも、受け金具が引き戸と室内側の戸又は開口縁部との間に入り込んでいるので、受け金具が変形し難くなり、防犯効果が向上する。
【００２０】
本願の第４の施錠装置の取付構造によれば、受け金具を設置する平らな設置面が無い場合、又は、横框の断面形状においてレールと干渉するために、雌ねじを形成するナッターを取り付けるスペースがない場合でも、取付部材で平らな設置面を形成するので、受け金具を十分に設置でき、位置調整も繰り返し行うことができる。
【発明を実施するための最良の形態】
【００２１】
以下、本発明を実施するための最良の形態を図面に基づいて説明する。図８は窓１の窓枠１Ａに、室外側のサッシ戸２と室内側のサッシ戸３とを装着した状態を示す。サッシ戸２、３は窓枠１Ａの上下に設けられたレール（図示省略）に沿って窓１の左右方向にスライド可能とされている。サッシ戸２、３の窓１の中央部に位置する縦框５には、クレセント錠６が取り付けられている。
【００２２】
室外側に設けられるサッシ戸２の上部の横框７と縦框５の角部には受け金具４が取り付けられている。受け金具４は、図３に示す施錠装置としての施錠装置本体８の閂状のデッドボルト９を拘束するものであり、デッドボルト９の先端部を挿入する開口部１０が形成された取付板部１１と、遮蔽板１２とを備えている。
【００２３】
受け金具４は、略「Ｕ」字形状に曲げられた断面形状を有しており、室内側に臨む取付板部１１の上部に、サッシ戸２の上部の横框７に取り付けるための図示しないネジを通すネジ穴１３が一対形成されている。
【００２４】
取付板部１１の片方の側端部には、サッシ戸２、３の縦框５の間に挿入される突出部１４が形成されている。突出部１４は、取付板部１１の上端部がサッシ戸２の横框７に片持ち状態で取り付けられたとしても、受け金具４の曲げ変形を防止するものであり、突出部１４が、サッシ戸２、３の両方の縦框５の間に挿入されることによって、受け金具４に対してその肉厚方向に曲げる力が働いたときに、突出部１４が縦框５の壁面に当たって、受け金具４の曲がりを防止する。
【００２５】
デッドボルト９の先端部を挿入する開口部１０の縁部には、デッドボルト９が正常に開口部１０に挿入されたことを検知するための図示しない接触式の施錠センサを位置させるための凹部１０Ａ（図２（ｂ）参照）が形成されている。
【００２６】
受け金具４の室外側に臨む部分は遮蔽板１２とされている。遮蔽板１２の上部端縁部１２Ａは、横框７の縁部７Ａ（図７参照）に当接し、遮蔽板１２の後端縁部１２Ｂは、サッシ戸２の縦框５の縁部５Ａに当接して位置決めを行う。遮蔽板１２の上部端縁部１２Ａと後端縁部１２Ｂは位置決め部を構成している。遮蔽板１２は、取付板部１１の開口部１０にデッドボルト９が挿入されていることが窓の外側から見えないように、視線を遮断している。
【００２７】
取付板部１１と遮蔽板１２との間には、デッドボルト９の掛止突起１５を挿入可能な隙間間隔が設けられており、サッシ戸２、３が上下方向に変位させられる場合に、掛止突起１５が開口部１０の縁部に当たって、サッシ戸２、３が分離されることを防止している。また、取付板部１１の開口部１０の下方には、板状マグネット１６が取り付けられている。板状マグネット１６は施錠装置本体８に内蔵されたホール素子によって検出され、サッシ戸２、３が正常に閉まっているかどうかを検出する。
【００２８】
図４は、一例としてのサッシ戸２、３における受け金具４と施錠装置本体８の取付状態を示す。サッシ戸２、３が正常に閉まっているとき、受け金具４の突出部１４は、サッシ戸２、３の縦框５out、５inの間に挿入される。縦框５out、５inには略Ｌ字断面の掛止部１７out、１７inが互いに噛み合わせられる煙返し部１７が形成されており、突出部１４は縦框５outの掛止部１７outに突き当てることによっても、サッシ戸の引き方向の取付位置を決めることが出来る。１８、１９は縦框５out、５inに設けられたガラスであり、２０、２１はガラス１８、１９をそれぞれ保持するプラスチック製の支持枠である。
【００２９】
図５は、受け金具４を取り付けた一例としての横框７の断面形状を示す。図５において、横框７は室内側の壁面に段差部２２が形成されており、この段差部２２に取付部材２３がネジ２４により固着される。段差部２２の縦壁面にはネジ２４を螺着するネジ穴２５が形成されている。ネジ２４は取付部材２３を介してネジ穴２５に緊結されて固着されている。取付部材２３は接着剤又はブラインドリベットで固定しても良い。取付部材２３は段差部２２の水平部に搭載されており、ネジ２４がネジ穴２５に緊結されるので、受け金具４がぐらつくことが防止されている。
【００３０】
また、取付部材２３には、受け金具４のネジ２６が螺着されるネジ穴２７が形成されており、受け金具４はネジ２６をネジ穴２７に螺着することで、取付部材２３に取り付けられる。受け金具４は取付部材２３に取り付けられているので、受け金具４の取付位置の調整の際に、取付部材２３上で行うことができ、横框７のネジ穴が拡大して堅くネジ止めすることができなくなることも防止されている。２８は窓枠１Ａの上部に設けられたレールであり、ネジ２４、２６はレール２８に接触しないように長さが設定されている。図６はガラス２９が１枚のタイプのサッシ戸３０を示しており、このサッシ戸３０では、横框３１に受け金具４が取り付けられる（図示せず）。
【００３１】
図８は受け金具４の取付位置を示している。受け金具４はサッシ戸２、３の上部の横框７と縦框５の隅角部に取り付けられているが、下部の横框と縦框５の隅角部Ａ１に取り付けても良く、また、窓枠１Ａの側の縦框５Ｂと上部又は下部の横框の隅角部Ａ２、Ａ３に取り付けても良い。
【００３２】
上述したように、この実施の形態にかかる受け金具４は、窓枠１Ａの室外側に、サッシ戸２（引き戸）を設け、窓枠１Ａの室内側にサッシ戸３を設け、サッシ戸３にデッドボルト９を有する施錠装置本体８を設け、サッシ戸２にデッドボルト９を挿入する受け金具４を取り付ける施錠装置であって、受け金具４は、デッドボルト９を拘束する開口部１０（受け部）の目視を遮断する遮蔽板１２（遮蔽部）を有するので、侵入者が施錠装置本体８やデッドボルト９の存在場所を目視できない。このため外部の攻撃から防御できる。また、サッシ戸２、３の適正な閉鎖を感知するための板状マグネットが受け金具４に設けられている場合には、板状マグネットを保護できる。
【００３３】
適正な閉鎖を感知する方法として、マグネットとホール素子の具体例を示したが、鏡と発光素子（フォトカプラ）、アンテナと発信受信素子、コイルと電磁誘導タグ、マグネットとリードスイッチでも良い。
【００３４】
次に、遮蔽板１２が受け金具４をサッシ戸２の横框７と縦框５の角部に取付ける際の位置決めを行うので、施錠装置の取り付けが容易になる。受け金具４は、サッシ戸２、３が正常に重なり合って正常に閉鎖しているときに、サッシ戸２、３の縦框５同士の間に挿入される突出部１４を備えているので、サッシ戸２の外側からサッシ戸２をサッシ戸３から分離しようとする力が働いたときでも、受け金具４がサッシ戸２、３の間に入り込んでいるので、受け金具４が変形し難くなり、防犯効果が向上する。
【００３５】
また、上述の施錠装置の取付構造では、受け金具４がサッシ戸２の框の室内側壁面に厚肉の取付部材２２を固着し、取付部材２２に受け金具４を取り付けるので、サッシ戸２に受け金具４を設置する平らな設置面が無い場合でも、取付部材２２で平らな設置面を形成することができるため、受け金具４を十分に設置でき、位置調整も繰り返し行うことができる。
【００３６】
なお、上記の実施の形態では、スライド可能なサッシ戸３の代わりに固定式のサッシ戸若しくは窓１の開口縁部に、施錠装置本体８を取り付けても良い。
【図面の簡単な説明】
【００３７】
【図１】図１は本発明の実施の形態にかかる施錠装置の受け金具の室外側に向けられる面を表した正面図。
【図２】（ａ）は本発明の実施の形態にかかる施錠装置の受け金具の室内側に向けられる面を表した背面図、（ｂ）は図２（ａ）のＢ−Ｂ線断面図。
【図３】図３は施錠装置本体のデッドボルトが受け金具に挿入されて施錠されている状態を示す断面図。
【図４】室外側のサッシ戸と室内側のサッシ戸の縦框断面図。
【図５】室外側のサッシ戸の横框断面図。
【図６】ガラス戸が１枚のタイプのサッシ戸の横框断面図。
【図７】室外側のサッシ戸と室内側のサッシ戸の縦框の受け金具取付位置を示す図。図。
【図８】窓の室外側のサッシ戸と室内側のサッシ戸及び受け金具の取付状態を示す図。
【符号の説明】
【００３８】
１  窓
１Ａ  窓枠
２  サッシ戸
３  サッシ戸
４  受け金具
５  縦框
６  クレセント錠
７  横框
８  施錠装置本体
９  デッドボルト
１０  開口部
１１  取付板部
１２  遮蔽部
１４  突出部
【図１】
2005336906.tif 000003
【図２】
2005336906.tif 000004
【図３】
2005336906.tif 000005
【図４】
2005336906.tif 000006
【図５】
2005336906.tif 000007
【図６】
2005336906.tif 000008
【図７】
2005336906.tif 000009
【図８】
2005336906.tif 000010